(57)【要約】【課題】  トイレットペーパーを、使用者の引き出し方の習慣に合わせて、表使いと裏使いとの、どちらでも自由に装着でき、かつトイレットペーパー切断後、上蓋の先端よりトイレットペーパーを数センチ出すことにより、次の使用者がトイレットペーパーを容易に引き出すことが出来る、トイレットペーパーホルダーを提供する。【解決手段】  トイレットペーパーホルダーの左右両側フレームの内側に、一定軌道上を移動するローラーと、ローラーストッパーと、ローラーを常に元の位置に戻す作用を有するばねと、を形設し、上蓋にローラーを押さえ込むための押さえ部材を設けたことを特徴とする。【選択図】図１
2014014639.tif 000002
【特許請求の範囲】
【請求項１】
トイレットペーパーホルダーの左右両側フレームの内側に、一定軌道上を移動するローラーと、ローラーストッパーと、ローラーを常に元の位置に戻す作用を有するばねと、を形設し、上蓋にローラーを押さえ込むための押さえ部材を設けてなり、トイレットペーパーを使用者の引き出し方の習慣に合わせて、表使いと裏使いとの、どちらでも自由に装着でき、かつトイレットペーパー切断後、上蓋の先端よりトイレットペーパーを数センチ出すことにより、次の使用者がトイレットペーパーを容易に引き出すことが出来るトイレットペーパーホルダー。
【発明の詳細な説明】
【技術分野】
【０００１】  本発明はトイレットペーパーを、使用者の引き出し方の習慣に合わせて、表使いと裏使いとの、どちらでも自由に装着でき、かつトイレットペーパー切断後、上蓋の先端よりトイレットペーパーを数センチ出すことにより、次の使用者がトイレットペーパーを容易に引き出すことが出来る、トイレットペーパーホルダーを提供するものである。
【背景技術】
【０００２】  トイレットペーパーには、その種類によっては表と裏がある。表側はやわらかい肌触りに出来ているが、裏側はザラザラとしていることが多い。しかし従来のトイレットペーパーホルダーは、図２の如く、トイレットペーパーの端がロールの前側に来るようにしか装着できない。【０００３】  人のトイレットペーパーの引き出し方は一種の習慣的行動になっている。図３の如く、トイレットペーパーの表側が表面となるように引き出す人もあれば、図４の如く、裏側が表面となるように引き出す人もいる。また、トイレットペーパーホルダーがトイレ室内のどこに設置されているかによっては、手の使い方が逆になり無意識にトイレットペーパーの裏側が表面となるように引き出してしまうこともある。【０００４】  体調が悪く何度もトイレに行った時など、トイレットペーパーの裏側が表面に出るように引き出す習慣の人は、そのザラザラとした面で肌をこすることになり、肌を傷めることがあった。【０００４】  また、トイレットペーパー切断後は、トイレットペーパーの先端が上蓋に隠れているので、次の使用者はトイレットペーパーを引き出し難かった。
【発明の概要】
【発明が解決しようとする課題】
【０００５】  本発明は上記実情を鑑みてなされたものであって、トイレットペーパーを、使用者の引き出し方の習慣に合わせて、表使いと裏使いとの、どちらでも自由に装着でき、かつトイレットペーパー切断後、上蓋の先端よりトイレットペーパーを数センチ出すことにより、次の使用者がトイレットペーパーを容易に引き出すことが出来る、トイレットペーパーホルダーを提供することを課題とするものである。
【課題を解決するための手段】
【０００６】  本発明を図面について説明すれば、図１の如く、トイレットペーパーホルダーのフレーム（１）に上蓋の支点となる部位（２）と、ローラーが移動するための軌道部（３）と、ばね掛け部材（４）と、ローラーストッパー（５）と、トイレットペーパーを装着するための軸芯（６）とを形設する。【０００７】  上蓋（７）に支点部（８）とローラー押さえ部材（９）を形設する。【０００８】  フレーム（１）に形設された、ローラーが移動するための軌道部（３）にローラーの軸（１１）を挿入し、前記軸（１１）と、フレームに形設されたばね掛け部材（４）にばね（１２）を装着する。【０００９】  フレーム（１）に形設された、上蓋の支点となる部位（２）に上蓋の支点部（８）を装着する。
以上の構成よりなるトイレットペーパーホルダー。
【発明の効果】
【００１０】  トイレットペーパーを、使用者の引き出し方の習慣に合わせて、表使いと裏使いとの、どちらでも自由に装着でき、かつトイレットペーパー切断後、上蓋の先端よりトイレットペーパーを数センチ出すことにより、次の使用者がトイレットペーパーを容易に引き出すことが出来る。
【図面の簡単な説明】
【００１１】
【図１】本発明の実施状態を示すトイレットペーパーホルダーの構造すべてを反映した斜視図
【図２】従来のトイレットペーパーホルダーにトイレットペーパーを取付けた斜視図
【図３】従来のトイレットペーパーホルダーで、トイレットペーパーの表側が表面となるように引き出した場合の斜視図
【図４】従来のトイレットペーパーホルダーで、トイレットペーパーの裏側が表面となるように引き出した場合の斜視図
【図５】本発明において、上蓋を開け、トイレットペーパーを表使いに取付けたときの縦断面図
【図６】本発明において、上蓋を開け、トイレットペーパーを裏使いに取付けたときの縦断面図
【図７】本発明において、トイレットペーパーを表使いに取付け、上蓋を閉めたときの縦断面図
【図８】本発明において、トイレットペーパーを裏使いに取付け、上蓋を閉めたときの縦断面図
【図９】本発明において、トイレットペーパーを表使いに取付け、上蓋を閉め、次に前記上蓋を手で押えたときの縦断面図
【図１０】本発明において、トイレットペーパーを裏使いに取付け、上蓋を閉め、次に前記上蓋を手で押えたときの縦断面図
【図１１】本発明において、トイレットペーパーを表使いに取付け、上蓋を閉め、次に前記上蓋を手で押えて、この上蓋からはみ出しているトイレットペーパーを切断した瞬間を表す縦断面図
【図１２】本発明において、トイレットペーパーを裏使いに取付け、上蓋を閉め、次に前記上蓋を手で押えて、この上蓋からはみ出しているトイレットペーパーを切断した瞬間を表す縦断面図
【図１３】本発明において、トイレットペーパーを表使いに取付け、上蓋を閉め、次に前記上蓋を手で押えて、この上蓋からはみ出しているトイレットペーパーを切断し、トイレットペーパーホルダーから手を離したときの縦断面図
【図１４】本発明において、トイレットペーパーを裏使いに取付け、上蓋を閉め、次に前記上蓋を手で押えて、この上蓋からはみ出しているトイレットペーパーを切断し、トイレットペーパーホルダーから手を離したときの縦断面図
【図１５】上蓋を押えることにより、上蓋と一体のローラー押さえ部材がローラーに与える作用を表した  部分縦断面図
【発明を実施するための形態】
【００１２】  以下、本発明を図面について説明すれば、図１の如く、トイレットペーパーホルダーのフレーム（１）に上蓋の支点となる部位（２）と、ローラーが移動するための軌道部（３）と、ばね掛け部材（４）と、ローラーストッパー（５）と、トイレットペーパーを装着するための軸芯（６）とを形設する。
【００１３】  上蓋（７）に支点部（８）とローラー押さえ部材（９）を形設する。
【００１４】  フレーム（１）に形設された、ローラーが移動するための軌道部（３）にローラーの軸（１１）を挿入し、前記軸（１１）と、ケースに形設されたばね掛け部材（４）にばね（１２）を装着する。
【００１５】  フレーム（１）に形設された、上蓋の支点となる部位（２）に上蓋の支点部（８）を装着する。
以上の構成よりなるトイレットペーパーホルダーである。
【００１６】  本発明を使用する時は、図５及び図６の如く、上蓋（７）を使用者の手によって開け、トイレットペーパーを使用者の引き出し方の習慣に合わせて、表使いと裏使いとの、どちらかを選択し、トイレットペーパー用軸芯（６）に装着し、トイレットペーパーを十分に引き出したのち、図７及び図８の如く上蓋（７）を閉じる。
【００１７】  図９及び図１０の如く、上蓋（７）を手で押えて、図１１及び図１２の如く、上蓋（７）からはみ出しているトイレットペーパーを切断し、トイレットペーパーホルダーから手を離す。
以上でトイレットペーパーの最初の取り付けは完了であり、この時のローラー（１０）とローラー押え部材（９）が接触している部分は  図１３及び図１４の如く  点Ａの地点である。
【００１８】  次の使用者は  図１１または図１２の状態から、上蓋（７）の先端より数センチ出ているトイレットペーパーを手で摘んで適当な量を引き出し、上蓋（７）を押える。
【００１９】  上蓋を押えることによって、上蓋（７）に一体となるローラー押さえ部材（９）がローラーの内側に入り込み、ローラーは手前側に押し出される。
この時、ローラー（１０）とローラー押え部材（９）が接触している部分は  図９及び図１０の如く  点Ｂの地点である。
【００２０】  ローラー（１０）には、ばね（１２）の作用により常にもとの位置に戻ろうとする力が働いている。その作用により、ローラー（１０）とローラー押さえ部材（９）の接触点には、ばねの力に相当する接触力が働いている。
【００２１】  図１１及び図１２は、使用者がトイレットペーパーを切断した瞬間を表している。
その後、使用者がトイレットペーパーホルダーから手を離すと、前記ばね（１２）の作用により、ローラー（１０）は元の位置に戻ろうとするが、トイレットペーパーはローラー（１０）とローラー押さえ部材（９）に挟まれており、同時にローラー（１０）とローラー押さえ部材（９）の接触点には、ばねの力に相当する接触力が働いているため、ローラー（１０）は回転しながらもとの位置に戻って行き、ローラー押さえ部材は上方に押し上げられ、トイレットペーパーはローラー（１０）の回転作用によって送り出される。
この状態が図１３及び図１４であり、トイレットペーパー取り付け完了と同じ状態になる。
【００２２】  以上の説明の通り、本発明のトイレットペーパーホルダーは、トイレットペーパーを、使用者の引き出し方の習慣に合わせて、表使いと裏使いとの、どちらでも自由に装着でき、かつトイレットペーパー切断後、上蓋の先端よりトイレットペーパーを数センチ出すことにより、次の使用者がトイレットペーパーを容易に引き出すことが出来る。
【符号の説明】
【００２３】  １  トイレットペーパーホルダーのフレーム
２  トイレットペーパーホルダーのフレームにおける、上蓋用支点
３  トイレットペーパーホルダーのフレームのおける、ローラーが移動する為の軌道部
４  トイレットペーパーホルダーのフレームにおける、ばね掛け部材
５  トイレットペーパーホルダーのフレームにおける、ローラーストッパー
６  トイレットペーパーを取付けるための軸芯
７  上蓋
８  上蓋の支点部
９  ローラー押さえ部材
１０  移動式ローラー
１１  ローラーの軸
１２  ばね
【図１】
2014014639.tif 000003
【図２】
2014014639.tif 000004
【図３】
2014014639.tif 000005
【図４】
2014014639.tif 000006
【図５】
2014014639.tif 000007
【図６】
2014014639.tif 000008
【図７】
2014014639.tif 000009
【図８】
2014014639.tif 000010
【図９】
2014014639.tif 000011
【図１０】
2014014639.tif 000012
【図１１】
2014014639.tif 000013
【図１２】
2014014639.tif 000014
【図１３】
2014014639.tif 000015
【図１４】
2014014639.tif 000016
【図１５】
2014014639.tif 000017